(57)【要約】      （修正有）【課題】利用者にレンタルした傘が貯まったり、不要になった傘が捨てられたり等の資源の無駄を削減した傘レンタル管理方法を提供する。【解決手段】天気予報情報データベースに基づいて、傘の本数の配分を決定し傘をレンタルする傘レンタル管理方法において、各店舗での上記傘のレンタル可能本数を含む店舗情報を管理する店舗情報管理手順と、上記傘のリサイクル可能な状態をチャックし、そのリサイクルの本数を含むリサイクル情報を管理するリサイクル情報管理手順と、上記天気予報情報データベースで管理される天気予報情報に基づいて、所定条件を満たす地域を判断する判断手順と、上記判断手順による判断結果と上記店舗情報と上記リサイクル情報とに基づいて、上記所定条件を満たす地域における上記傘をレンタルするレンタル場所への傘の配送を決定する配送決定手順とを有する傘レンタル管理方法によって達成される。【選択図】  図１
2004303061.tif 000002
【特許請求の範囲】
【請求項１】
天気予報情報データベースに基づいて、店舗へ配送するレンタル用傘の本数の配分を決定すると共に、該傘のレンタル状況を管理するシステムでの傘レンタル管理方法において、
上記システムが、
各店舗での上記傘のレンタル可能本数を含む店舗情報を管理する店舗情報管理手順と、
上記傘のリサイクル可能な状態をチャックし、そのリサイクルの本数を含むリサイクル情報を管理するリサイクル情報管理手順と、
上記天気予報情報データベースで管理される天気予報情報に基づいて、所定条件を満たす地域を判断する判断手順と、
上記判断手順による判断結果と上記店舗情報と上記リサイクル情報とに基づいて、上記所定条件を満たす地域における上記傘をレンタルするレンタル場所への傘の配送を決定する配送決定手順とを実行するようにした傘レンタル管理方法。
【請求項２】
請求項１記載の傘レンタル管理方法において、
上記システムは、更に、
上記傘毎にレンタル状況を管理するレンタル状況管理手順と、
上記レンタル場所から受信した上記傘を識別する傘識別情報と該レンタル場所を識別するレンタル場所識別情報とレンタルした日時を示す貸出日時を含むレンタル登録情報に基づいて、上記レンタル状況管理手順を更新する登録更新手順と、
上記傘が回収された回収場所から受信した上記傘識別情報と該回収場所を識別する回収場所識別情報とに基づいて、該傘が所定期間以内に回収されたか否かを判断する回収期日判断手順と、
上記回収期日判断手順による判断結果に基づいて、上記回収場所に対して、該傘を回収した利用者に対して所定金額をもって返金することを示す返金情報を送信することによって返金を指示する返金指示手順とを実行するようにした傘レンタル管理方法。
【請求項３】
請求項１又は２記載の傘レンタル管理方法において、
上記リサイクル情報管理手順は、引き取られた上記傘のリサイクル可否をチェックする上記回収場所から提供されるリサイクル状態を示す上記リサイクル情報を管理し、
上記システムは、更に、
上記配送決定手順によって決定された上記レンタル場所への傘の配送を各地の配送センタへ指示する配送指示手順とを実行するようにした傘レンタル管理方法。
【請求項４】
請求項１乃至３のいずれか一項記載の傘レンタル管理方法において使用される上記傘において、
上記傘を識別する傘識別情報が電子的に記録可能であって、かつ、上記レンタル場所及び上記回収場所において、電子的に読み取り及び書き込み可能な記録媒体が埋め込まれていることを特徴とする傘。
【請求項５】
天気予報情報データベースに基づいて、傘の本数の配分を決定し傘をレンタルする傘レンタル管理方法での処理をコンピュータに行わせるためのプログラムを記録した記録媒体において、
上記コンピュータが、
各店舗での上記傘のレンタル可能本数を含む店舗情報を管理する店舗情報管理手順と、
上記傘のリサイクル可能な状態をチャックし、そのリサイクルの本数を含むリサイクル情報を管理するリサイクル情報管理手順と、
上記天気予報情報データベースで管理される天気予報情報に基づいて、所定条件を満たす地域を判断する判断手順と、
上記判断手順による判断結果と上記店舗情報と上記リサイクル情報とに基づいて、上記所定条件を満たす地域における上記傘をレンタルするレンタル場所への傘の配送を決定する配送決定手順とを実行するプログラムを格納した記録媒体。
【発明の詳細な説明】
【０００１】
【発明の属する技術分野】
本発明は、駅又はコンビニを利用した傘レンタル管理方法に関し、天気予報に応じた傘の配送を実現し、レンタルした傘の回収を利用者の都合のよい回収場所を利用できるようにすることで、利用者にレンタルした傘が貯まったり、不要になった傘が捨てられたり等の資源の無駄を削減した傘レンタル管理方法を提供するものである。
【０００２】
【従来の技術】
天気の急変により、傘の持ち合わせがなくて、急に雨に降られた場合、多くは、駅又は店舗等で販売される比較的手ごろな値段の傘を急いで購入して使用する。又は、駅等で貸出サービスをしている場合は、傘を借りて急な雨に備えていた。
【０００３】
このような傘をレンタルするシステムとして、駅で定期券の情報に基づいて傘を貸し出す傘レンタル管理システム（例えば、特許文献１参照。）、また、傘貸出機を用いると共に、傘にブランド等を明記して宣伝用として貸し出すシステム（例えば、特許文献２参照。）等が提案されている。
【０００４】
【特許文献１】
特開２００２−９９９３３３号公報
【０００５】
【特許文献２】
特開２００３−１５５７３号公報
【０００６】
【発明が解決しようとする課題】
しかしながら、上記のように比較的手ごろな値段で急遽購入した傘は、愛用されることはなく、天気が回復した後は、家又は職場等に貯まり、貯まった傘が邪魔になると廃棄していまっていた。このような間に合わせの傘は、結局は資源を無駄にしてしまうと言う問題があった。
【０００７】
また、上記のような傘レンタル管理システムを利用した場合、返却時に駅を事由に選択できない等の問題があった。また、定期券を所有する利用者に限定されており、駅で返却しなければならないため、利用者の利便性に欠けていた。
【０００８】
更に、上記のような宣伝も兼ねて貸し出すシステムにおいても、返却場所が利用者の都合で決めることができないため、不便であった。
【０００９】
そこで、本発明の課題は、資源の無駄にならないように傘をレンタルする傘レンタル管理方法を提供することである。
【００１０】
【課題を解決するための手段】
上記課題を解決するため、本発明は、天気予報情報データベースに基づいて、傘の本数の配分を決定し傘をレンタルする傘レンタル管理方法において、各店舗での上記傘のレンタル可能本数を含む店舗情報を管理する店舗情報管理手順と、上記傘のリサイクル可能な状態をチャックし、そのリサイクルの本数を含むリサイクル情報を管理するリサイクル情報管理手順と、上記天気予報情報データベースで管理される天気予報情報に基づいて、所定条件を満たす地域を判断する判断手順と、上記判断手順による判断結果と上記店舗情報と上記リサイクル情報とに基づいて、上記所定条件を満たす地域における上記傘をレンタルするレンタル場所への傘の配送を決定する配送決定手順とを有するように構成される。
【００１１】
このような傘レンタル管理方法では、天気予報に応じて、店舗でレンタル可能な傘の本数と、雨の状況に応じて必要となる傘の本数とによって適切な傘が各店舗に配送することができる。従って、利用者に十分に傘のレンタルサービスを行うと共に、回収された傘をレンタル（リサイクル）する際の品質が管理されるため、利用者によって無用に破棄されることがなく、資源の無駄を低減することができる。
【００１２】
【発明の実施の形態】
以下、本発明の実施の形態を図面に基づいて説明する。
【００１３】
本発明の実施の一形態に係る雨傘レンタルシステムは、例えば、図１に示すようなネットワークを構成する。図１は、雨傘レンタルシステムのネットワーク構成を示す図である。図１において、ネットワーク２５を介して、雨傘レンタル本部システム１００と、リサイクルセンタ２００と、店頭レジ３００と、回収専用ボックス４００と、各地配送センタ５００とが互いに接続される。
【００１４】
雨傘レンタル本部システム１００は、雨傘レンタルに関する情報を集約して一元管理するシステムであって、各種データベース（以下、ＤＢと言う）を用いてそのような情報を管理している。雨傘のレンタル状況を管理するレンタル傘情報ＤＢ１３１と、回収専用ボックス４００から受信した雨傘の回収状況を示す情報を管理する回収専用ボックス状況ＤＢ１３２と、各地配送センタ５００が行う雨傘の配送に関する情報を管理する配送トラック管理ＤＢ１３３と、外部サービスの天気予報データ５０から取得した天気予報情報を管理する天気予報情報ＤＢ１３４とを有する。
【００１５】
リサイクルセンタ２００は、各地に複数設置され、回収された雨傘が一旦集められ、集められた雨傘の品質をチェックするセンタである。
【００１６】
店頭レジ３００は、駅又はコンビニ等に設置され、雨傘３０を貸し出す場所であって、ＰＯＳ（Ｐｏｉｎｔ  Ｏｆ  Ｓａｌｅ）端末３１０に接続されるリーダ／ライタ３２０によって雨傘３０に埋め込まれたＩＣカード等に記録されている雨傘３０を識別するためのＩＤを読み込み、貸し出し日時をＩＣカードに書き込むことによって利用登録する。雨傘をレンタルする利用者は、このようにして利用登録を済ませた後、雨傘３０を利用することができる。ＰＯＳ端末３１０から読み込まれた雨傘に関する情報は、ネットワーク２５を介して、雨傘レンタル本部システム１００へ送信される。
【００１７】
回収専用ボックス４００は、駅又はコンビニ等に設置され、利用者が店頭レジ３００で貸し出された雨傘３０を返却する場所であって、回収ボックス端末４１０（回収用ＰＯＳ端末）に接続されたリーダ４２０によって、雨傘３０のＩＣカードから雨傘３０のＩＤ及び利用登録情報を読み出す。読み出された雨傘３０のＩＤ及び利用登録情報は、回収ボックス端末４１０によって、ネットワーク２５を介して雨傘レンタル本部システム１００に送信される。
【００１８】
各地配送センタ５００は、ネットワーク２５を介して雨傘レンタル本部システム１００から配送スケジュールを受信すると、指定されるリサイクルセンタ２００から指定される本数分の雨傘３０を指定される店頭レジ３００へ配送する。雨傘レンタル本部システム１００は、天気予報情報ＤＢ１３４を用いて、必要とされる雨傘３０の本数を決定し、雨傘３０が必要と思われる店頭レジ３００への配送をスケジュールする。
【００１９】
雨傘レンタル本部システム１００が構成されるコンピュータシステムのハードウェア構成は、例えば、図２に示すようになっている。図２は、雨傘レンタル本部システムのハードウェア構成を示す図である。
【００２０】
図２において、この雨傘レンタル本部システム１００は、ＣＰＵ（中央処理装置）１１、メモリユニット１２、出力ユニット１３、入力ユニット１４、表示ユニット１５、補助記憶装置１６、ドライブユニット１７及び通信ユニット１８を有している。これらの各ユニット１１、１２、１３、１４、１５、１６、１７及び通信ユニット１８は、バスＢに接続されている。
【００２１】
ＣＰＵ１１は、メモリユニット１２に格納されたプログラムに従って当該雨傘レンタル本部システム１００を制御すると共に、後述するような雨傘レンタル本部システム１００での処理を行う。メモリユニット１２は、ＲＡＭ（Ｒａｎｄｏｍ  Ａｃｃｅｓｓ  Ｍｅｍｏｒｙ）及びＲＯＭ（Ｒｅａｄ−Ｏｎｌｙ  Ｍｅｍｏｒｙ）にて構成され、ＣＰＵ１１にて実行されるプログラム、ＣＰＵ１１での処理に必要なデータ、ＣＰＵ１１での処理にて得られたデータ等を格納する。また、メモリユニット１２の一部の領域が、ＣＰＵ１１での処理に利用されるワークエリアとして割り付けられている。
【００２２】
出力ユニット１３は、プリンター等を有し、処理結果或いは指定された情報を出力する。入力ユニット１４は、マウス、キーボード等を有し、雨傘レンタル本部システム１００の管理者が必要な各種情報を入力するために用いられる。表示ユニット１５は、ＣＰＵ１１の制御のもとに管理者に必要な各種情報を表示する。補助記憶装置１６は、例えば、ハードディスクユニットにて構成され、各種ファイル、データベース、プログラム等を格納する。
【００２３】
雨傘レンタル本部システム１００にて行われる処理に係るプログラムは、例えば、ＣＤ−ＲＯＭ等の記録媒体２０によって当該雨傘レンタル本部システム１００に提供される。即ち、該処理に係るプログラムが保存された記録媒体２０がドライブユニット１７にセットされると、ドライブユニット１７が記録媒体２０から当該プログラムを読み出し、その読み出されたプログラムがバスＢを介して補助記憶装置１６にインストールされる。そして、この処理が起動されると、補助記憶装置１６にインストールされた当該プログラムに従ってＣＰＵ１１がその処理を開始する。尚、当該プログラムを格納する媒体として記録媒体２０をＣＤ−ＲＯＭに限定するものではなく、コンピュータが読み取り可能な媒体であればよい。
【００２４】
通信ユニット１８は、ネットワーク２５を介して、リサイクルセンタ２００と、店頭レジ３００と、回収専用ボックス４００と、各地配送センタ５００との通信制御を行う。
【００２５】
次に、雨傘レンタルシステム１０００にて行われる雨傘レンタル処理を図３及び図４で説明する。図３及び図４は、雨傘レンタル処理を説明するためのフローチャート図である。図３において、先ず、駅又はコンビニ等の店頭レジ３００にて、例えば、１００円で雨傘３０のレンタルサービスを行う（ステップＳ１１）。レンタルされる雨傘３０には、駅名又はコンビニ等の宣伝が描いておき、開くと宣伝効果を持つようにしても良い。また、このように宣伝を描いておくことによって、利用者は、何れは返却しなければならないため、返却率を高めるという効果もある。
【００２６】
雨が降ると、利用者が店頭レジ３００に来て、雨傘３０を１００円でレンタルする（ステップＳ１２）。店頭レジ３００では、傘に埋め込まれたＩＣチップ（ＩＤタグ）からリーダ／ライタ３２０で傘のＩＤを読み取ると同時に、ＩＤタグへ貸出日時及び貸出店舗等の情報を書き込む。これら情報は、店頭レジ３００のＰＯＳ端末３１０から雨傘レンタル本部システム１００へ転送される。
【００２７】
利用者は、店頭レジ１００でレンタル直後に傘を開くと壊れていた場合、店頭レジ３００にて、他の雨傘３０との交換を依頼することができる（ステップＳ１３１）。利用者から交換の依頼を受けると、店頭レジ３００では、ＩＤタグの貸出日時を参照し、本当にレンタル直後に破損が判明した傘なのかを確認する。そうであるなら、別の傘に取り替えてもらう。この場合、取り替えた雨傘３０に対して、既に支払完了しているので、当然１００円の請求は行われない（ステップＳ１３２）。壊れた雨傘３０は、店頭レジ３００からリサイクルセンタ２００へ回収され、リサイクルセンタ２００にて回収された雨傘３０を修理して再度店舗へ配送され（ステップＳ１３３）、雨傘レンタル処理は、ステップＳ１１へ戻る。
【００２８】
一方、雨傘３０の使用後、雨が止み天気が晴れた場合、利用者は、駅又はコンビニ等に設置された回収専用ボックス４００に返却する（ステップＳ１４）。雨傘３０をレンタルした駅又はコンビニでなくてよい。回収専用ボックス４００にて、雨傘３０のＩＤタグからＩＤ及び貸出日時等の情報をリーダ４２０で読み込み回収ボックス端末４１０は、それら情報をネットワーク２５を介して、雨傘レンタル本部システム１００へ送信する（ステップＳ１５）。
【００２９】
雨傘レンタル本部システム１００にて、貸出日時が１週間以内か否かが判断される（ステップＳ１６）。一週間を過ぎている場合、雨傘レンタル本部システム１００は、回収専用ボックス４００へ返却時のレンタル料のキャッシュバックは行わない旨を通知し（ステップＳ１７）、ステップＳ１９へ進む。一方、一週間以内である場合、雨傘レンタル本部システム１００は、回収専用ボックス４００へ返却時にレンタル料１００円をキャッシュバックするよう通知する（ステップＳ１８）。
【００３０】
回収専用ボックス４００では、返却された雨傘３０をロックして使用できないようにし（ステップＳ１９）、雨傘レンタル本部システム１００へ、雨傘３０のＩＤタグに回収待ちステータスを登録する（ステップＳ２０）。回収専用ボックス４００では返却された雨傘３０の貯まった本数を雨傘レンタル本部システム１００に通知し、雨傘レンタル本部システム１００によって定期的に参照される（ステップＳ２１及びＳ２２）。
【００３１】
雨傘レンタル本部システム１００では、雨傘３０の本数が収容本数の所定容量（例えば、８０％）を超えたか否かを判断する（ステップＳ２３）。超えていない場合、雨傘レンタル本部システム１００傘回収指令を発信しない（ステップＳ２４）。つまり、回収された本数が十分でない場合、その回収専用ボックス４００からリサイクルセンタ２００への回収を行わない。一方、越えている場合、雨傘レンタル本部システム１００は、回収専用ボックス４００に対する傘回収指令を発信する（ステップＳ２５）。雨傘レンタル本部システム１００は、各店舗へ商品配送後の配送トラック検索し、各地配送センタ５００を介して回収指令を発信する（ステップＳ２６）。各地配送センタ５００の配送トラックは、回収指令内容に基づいて、店舗へ商品発送後、回収専用ボックス４００へ向かい、返却雨傘３０を回収する（ステップＳ２７）。
【００３２】
一方、雨傘レンタル本部システム１００では、雨傘３０の次の配送スケジュールを作成するために天気予報情報ＤＢ１３４を参照する（ステップＳ２８）。香水確率が２時間前の予報と比較して所定変動率（例えば、３０％）以上変動している地域を割り出す（ステップＳ２９）。変動している地域が特にない場合、雨傘３０の現在保有本数が少ない店舗への配送を各地配送センタ５００へ指令して（ステップＳ３０）、ステップＳ３２へ進む。この場合、平常時に保有すべき雨傘３０の本数に対して少ない店舗へ雨傘３０が配送されることになる。
【００３３】
一方、３０％以上変動している地域がある場合、急に雨傘３０の需要が高まると予測されるため、店舗に今ある雨傘３０の本数データに基づいて、参照降水確率アップに伴って必要となる本数分をその店舗に、及び、雨傘３０の本数が所定本数より少ない店舗に配送するよう各地配送センタ５００を介して配送トラックへ指令する（ステップＳ３１）。この場合、雨傘３０の需要が高まると予測される地域に対しては、平常時の所定本数より多い雨の場合に必要となるだろう本数に応じて雨傘３０が配送されると共に、急な雨が予測されない地域に対しては、ステップＳ３０と同様に、平常時に保有すべき雨傘３０の本数に対して少ない店舗へ雨傘３０が配送されることになる。
【００３４】
各店舗の店頭レジ３００では、配送された雨傘３０によって、再度レンタルサービスを提供し（ステップＳ３１）、ステップＳ１１へ戻る。
【００３５】
ステップＳ２９にて、降水確率の変動率に応じて店舗への雨傘３０の配分を決定するようにしているが、降水確率の高い地域への雨傘３０の配分を多くするようにしても良い。
【００３６】
図５は、レンタル傘情報ＤＢで管理されるレンタル傘管理情報の例を示す図である。図５中、実際には空欄である項目には、説明の便宜のため、（  ）書きで状態を示してある。図５に示す雨傘レンタル本部システム１００にて管理されるレンタル傘情報ＤＢ１３１でのレンタル傘管理情報６００は、雨傘３０のＩＤタグに記録される傘管理Ｎｏと、雨傘３０が貸し出された日時を示す貸出日時と、雨傘３０の現在の状態を示すステータスと、雨傘３０を貸し出した店舗を識別する貸出店舗Ｎｏと、雨傘３０がリサイクルのためチェックされているリサイクルセンタ２００を識別するリサイクルセンタＮｏと、リサイクル回数と、今月のキャッシュバック回数等の項目を有する。
【００３７】
ステータスは、例えば、店舗に保有されている状態を示す「貸出待」、利用者に貸し出した状態を示す「貸出中」、回収専用ボックス４００に回収されてリサイクルセンタ２００への配送待ちであることを示す「回収待」、配送センタ５００によって再び店舗へ配送される状態を示す「店舗へ配送中」、回収専用ボックス４００からリサイクルセンタ２００へ配送される状態を示す「リサイクルセンタへ配送中」、リサイクルセンタ２００でチェックされる状態にあることを示す「リサイクル中」等の状態を示す。
【００３８】
貸出店舗Ｎｏは、新規のレンタル用の雨傘３０にはまだ記録がない場合、空欄となる。以後、貸し出されると、店頭レジ３００のＰＯＳ端末３１０から雨傘３０の情報と共に、貸出店舗Ｎｏが送信されるため、貸出店舗Ｎｏが記録される。回収専用ボックスＮｏは、雨傘３０がレンタルされ回収されるまでは、記録がないため空欄となる。回収専用ボックス４００に雨傘３０が回収されると、回収専用ボックス４００の回収ボックス端末４１０から雨傘３０の情報と共に、回収専用ボックスＮｏが送信されるため、回収専用ボックスＮｏが記録される。貸出店舗Ｎｏと回収専用ボックスＮｏとによって、利用者がどこで雨傘３０をレンタルし、どこで雨傘３０を返却したかが分かるため、利用者の雨の日の行動を読み取ることができる。
【００３９】
リサイクルセンタＮｏは、「貸出待」の状態から「店舗へ配送中」の状態までは空欄となる。以後、雨傘３０が店舗から直接（この場合、雨傘３０は壊れていて店頭レジ３００で返却）又は回収専用ボックス４００からリサイクルセンタ２００へ配送されると、各リサイクルセンタ２００から雨傘レンタル本部システム１００へ雨傘３０の情報と共に、リサイクルセンタ２００を識別するリサイクルサンタＮｏが送信される。
【００４０】
リサイクル回数は、リサイクルセンタ２００で品質状態がチェックされ再度、各店舗に配送される毎にカウントされる。今月のキャッシュバック回数は、利用者が回収専用ボックス４００へ、所定期日（例えば、一週間以内）に返却した場合に利用者へキャッシュバックされた回数を示す。雨傘レンタル本部システム１００で実行されるステップＳ１８での処理時に回数がカウントされる。
【００４１】
図６は、店舗テーブルの例を示す図である。図６に示される店舗テーブル６２０は、雨傘レンタル本部システム１００で実行されるステップＳ３０及びＳ３１にて参照されるテーブルであって、店舗を識別する店舗Ｎｏと、店舗名と、現在のサービス中の傘の本数を示す現在のサービス傘本数と、店頭レジ３００でレンタル直後に版損のため返却された雨傘の本数を示す現在の破損傘回収本数と、その店舗の地域での２時間毎の降水確率（％）等の項目を有する。
【００４２】
例えば、店舗テーブル６２０において、店舗Ｎｏ「１０００１」の店舗名「田町店」の現在のサービス傘本数は「１００」本、現在の破損傘回収本数は「３」本、２時間毎の降水確率は「９０」％であることが示される。このように、この店舗におけるレンタル可能な傘本数には、レンタル時に破損していることが判明した雨傘３０の本数は含まない。このような本数管理を行うことで確実にレンタル可能な雨傘３０の本数が分かる。そのため、配分される雨傘３０の本数を適確に行うことができる。
【００４３】
図７は、回収ボックステーブルの例を示す図である。図７に示す回収ボックステーブル６３０は、回収専用ボックスを識別する回収専用ボックスＮｏと、その設置場所と、現在の回収した雨傘３０の本数を示す現在の回収傘本数と、回収可能本数に対する回収率（％）等の項目を有する。
【００４４】
例えば、回収ボックステーブル６３０において、回収専用ボックスＮｏ「２０００１」の設置場所「田町店」の現在の回収傘本数は「１００」本、回収可能本数に対する回収率は「８０」％であることが示される。
【００４５】
図８は、リサイクルセンタテーブルの例を示す図である。図８に示すリサイクルサンタテーブル６４０は、リサイクルセンタ２００を識別するリサイクルセンタＮｏと、センタ名と、リサイクル中の雨傘３０の本数を示すリサイクル中傘本数と、リサイクルが完了した雨傘３０の本数を示すリサイクル完了傘本数等の項目を有する。
【００４６】
例えば、リサイクルサンタテーブル６４０において、リサイクルセンタＮｏ「３００００３」のセンタ名「田町店センター」のリサイクル中傘本数は「１００」本、リサイクル完了傘本数は「８０」本であることが示される。
【００４７】
図９は、貸出日時及び返却時のＰＯＳ画面の例を示す図である。図９（Ａ）は、貸出時ＰＯＳ画面の例を示す図である。図９（Ａ）において、貸出時ＰＯＳ画面７００は、雨傘３０をレンタルする際に、ＰＯＳ端末３１０に表示される画面であって、店頭レジ３１０にて雨傘３０のレンタルに関する情報が表示される表示域７１０と、顧客の特徴を入力する入力域７２０とで構成される。
【００４８】
表示域７１０は、リーダ／ライタ３２０によって雨傘３０から読み取った雨傘３０のＩＤと示す傘管理Ｎｏと、ＩＤを読み取った時点の貸出日時と、店頭レジ３００の店舗名を示す貸出店舗名と、返却場所等の項目が表示される。例えば、傘管理Ｎｏには「０００００００１」、貸出日時には「２００３／１／８」、貸出店舗名には「大井町店」、返却場所には「−−−」等が表示される。ここで、返却場所の「−−−」は空欄を示す。
【００４９】
入力域７２０は、顧客の特徴を入力する入力域であって、性別と、年代と、貸出時に購入した貸出時購入商品と、返却時に購入した返却時購入商品等の項目が表示される。例えば、性別には「男性」、年代には「４０代」、貸出時購入商品には「○△オレンジジュース」、返却時購入商品には「−−−」等が表示される。ここで、返却時購入商品の「−−−」は空欄を示す。
【００５０】
図９（Ｂ）は、返却時ＰＯＳ画面の例を示す図である。図９（Ｂ）において、貸出時ＰＯＳ画面７００は、雨傘３０を返却する際に、回収ボックス端末４１０に表示される画面であって、回収ボックス端末４１０にて雨傘３０のレンタルに関する情報が表示される表示域８１０と、顧客の特徴を入力する入力域８２０とで構成される。
【００５１】
表示域８１０は、リーダ４２０によって雨傘３０から読み取った雨傘３０のＩＤと示す傘管理Ｎｏと、雨傘３０をレンタルした貸出日時と、雨傘３０をレンタルした店頭レジ３００の店舗名を示す貸出店舗名と、返却場所等の項目が表示される。例えば、傘管理Ｎｏには「０００００００１」、貸出日時には「２００３／１／８」、貸出店舗名には「大井町店」、返却場所には「田町駅」等が表示される。
【００５２】
入力域８２０は、顧客の特徴を入力する入力域であって、性別と、年代と、貸出時に購入した貸出時購入商品と、返却時に購入した返却時購入商品等の項目が表示される。例えば、性別には「女性」、年代には「１０代」、貸出時購入商品には「−−−」、返却時購入商品には「−−−」等が表示される。ここで、貸出時購入商品及び返却時購入商品の「−−−」は空欄を示す。
【００５３】
このように、「０００００００１」番の雨傘がどのような利用者によって何所でレンタルされ誰（本人又は他の人）によって何所で返却されたかが分かる。このような情報を蓄積することによって、利用者の生活形態に応じた雨傘のレンタルを行うことができると共に、利用者の層に応じて商品の品揃えを行うことによって、レンタルの利用者を顧客として商品販売の推進を行うことができる。
【００５４】
図１０は、雨傘レンタルシステムで使用される傘の例を示す図である。図１０に示される雨傘３０は、取っ手の部分にリーダ／ライタ３２０によって読み書き可能な又リーダ４２０によって読み取り可能なＩＣカード３１が埋め込まれている。ＩＣカード３１には、予め、雨傘３０を識別するＩＤ番号が記録されており、レンタル時には、更に、貸出日時等のレンタル情報が書き込まれる。また、雨傘３０には、宣伝効果をもたらすと共に、返却効果を高めるために、傘の外側又は内側に宣伝用の文字又は絵等の宣伝３２が描かれる。
【００５５】
以上、本発明によれば、天気予報に応じて、店舗でレンタル可能な雨傘３０の本数と、雨の状況に応じて必要となる雨傘３０の本数とによって適切な雨傘３０が各店舗に配送される仕組みよって、利用者の要望に適確に対応することができる。また、利用者は、雨の日に駅又はコンビニ等の外出先で雨傘３０をレンタルし、雨傘３０が不要になった場合に近くの回収専用ボックス４００にて返却することができるため、不要になった傘等が貯まってしまう、また、それらを廃棄する等の資源の無駄を無くすことができる。また、所定期間に返却することによって、キャッシュバックするようにすることで、利用者は気軽に雨傘３０のレンタルサービスを利用することができる。更に、天気予報に応じて、傘の配送を決定するため、利用者の要求に応じたレンタルサービスを行うことができる。
【００５６】
駅又はコンビニ等の店頭レジ３００を設置する店舗及び回収専用ボックス４００では、雨傘３０のレンタル状況を解析することによって、利用者に形態に応じた商品販売を戦略的に行うことができる。これによって、利用者は、雨傘３０のレンタル時又は返却時に、商品購入をする可能性が高くなる。また、雨傘３０に宣伝を描いておくことで、利用者自身を広告塔として利用することができる。また、これによって、返却率を高めることができる。
【００５７】
更に、リサイクルセンタ２００での品質チェック等が行われるため、利用者は、壊れた傘の手入れをする必要がない。
【００５８】
近年、駅及びコンビニの使用は、日常的になっており、午後に雨が降ることが分かっていても朝から傘を持ち歩くのが面倒な場合、駅及びコンビニを利用した傘のレンタルサービスは、利用者にとっても都合の良いものである。また、借りた傘を天気が回復後の外出先の駅及びコンビニで返却すれば良いので、利用者にとって返却することがそれ程苦痛にはならない。
【００５９】
以下に付記する。
（付記１）  天気予報情報データベースに基づいて、店舗へ配送するレンタル用傘の本数の配分を決定すると共に、該傘のレンタル状況を管理するシステムでの傘レンタル管理方法において、
上記システムが、
各店舗での上記傘のレンタル可能本数を含む店舗情報を管理する店舗情報管理手順と、
上記傘のリサイクル可能な状態をチャックし、そのリサイクルの本数を含むリサイクル情報を管理するリサイクル情報管理手順と、
上記天気予報情報データベースで管理される天気予報情報に基づいて、所定条件を満たす地域を判断する判断手順と、
上記判断手順による判断結果と上記店舗情報と上記リサイクル情報とに基づいて、上記所定条件を満たす地域における上記傘をレンタルするレンタル場所への傘の配送を決定する配送決定手順とを実行するようにした傘レンタル管理方法。
（付記２）  付記１記載の傘レンタル管理方法において、
上記システムは、更に、
上記傘毎にレンタル状況を管理するレンタル状況管理手順と、
上記レンタル場所から受信した上記傘を識別する傘識別情報と該レンタル場所を識別するレンタル場所識別情報とレンタルした日時を示す貸出日時を含むレンタル登録情報に基づいて、上記レンタル状況管理手順を更新する登録更新手順と、
上記傘が回収された回収場所から受信した上記傘識別情報と該回収場所を識別する回収場所識別情報とに基づいて、該傘が所定期間以内に回収されたか否かを判断する回収期日判断手順と、
上記回収期日判断手順による判断結果に基づいて、上記回収場所に対して、該傘を回収した利用者に対して所定金額をもって返金することを示す返金情報を送信することによって返金を指示する返金指示手順とを実行するようにした傘レンタル管理方法。
（付記３）  付記１又は２記載の傘レンタル管理方法において、
上記リサイクル情報管理手順は、引き取られた上記傘のリサイクル可否をチェックする上記回収場所から提供されるリサイクル状態を示す上記リサイクル情報を管理し、
上記システムは、更に、
上記配送決定手順によって決定された上記レンタル場所への傘の配送を各地の配送センタへ指示する配送指示手順とを実行するようにした傘レンタル管理方法。
（付記４）  付記１乃至３のいずれか一項記載の傘レンタル管理方法において、
上記店舗情報管理手順は、店舗毎にリサイクル可能な上記傘の本数と、破損した該傘の本数と、所定時間毎の降水確率とを管理し、
上記判断手順は、上記降水確率の変動率の大きさを示す上記所定条件を用いて上記地域を判断するようにした傘レンタル管理方法。
（付記５）  付記１乃至４のいずれか一項記載の傘レンタル管理方法において、
上記システムは、更に、
上記レンタル場所に設置された情報処理端末の表示ユニットに上記傘のレンタルに関する情報を表示する第一表示域と、該傘をレンタルした利用者に関する情報を入力可能な第二表示域とを有するレンタル画面を表示させるレンタル画面表示手順を実行する傘レンタル管理方法。
（付記６）  付記５項記載の傘レンタル管理方法において、
上記第二表示域には、上記レンタルした利用者が上記レンタル場所で購入した商品に関する情報が表示されるようにした傘レンタル管理方法
（付記７）  付記１乃至６のいずれか一項記載の傘レンタル管理方法において、
上記システムは、更に、
上記回収場所に設置された情報処理端末の表示ユニットに上記傘のレンタルに関する情報を表示する第一表示域と、該傘を回収した利用者に関する情報を入力可能な第二表示域とを有する回収画面を表示させる回収画面表示手順を実行する傘レンタル管理方法。
（付記８）  付記６項記載の傘レンタル管理方法において、
上記第二表示域には、上記回収した利用者が上記回収場所で購入した商品に関する情報が表示されるようにした傘レンタル管理方法。
（付記９）  付記１乃至８のいずれか一項記載の傘レンタル管理方法において使用される上記傘において、
上記傘を識別する傘識別情報が電子的に記録可能であって、かつ、上記レンタル場所及び上記回収場所において、電子的に読み取り及び書き込み可能な記録媒体が埋め込まれていることを特徴とする傘。
（付記１０）  天気予報情報データベースに基づいて、傘の本数の配分を決定し傘をレンタルする傘レンタル管理方法での処理をコンピュータに行わせるためのプログラムを記録した記録媒体において、
上記コンピュータが、
各店舗での上記傘のレンタル可能本数を含む店舗情報を管理する店舗情報管理手順と、
上記傘のリサイクル可能な状態をチャックし、そのリサイクルの本数を含むリサイクル情報を管理するリサイクル情報管理手順と、
上記天気予報情報データベースで管理される天気予報情報に基づいて、所定条件を満たす地域を判断する判断手順と、
上記判断手順による判断結果と上記店舗情報と上記リサイクル情報とに基づいて、上記所定条件を満たす地域における上記傘をレンタルするレンタル場所への傘の配送を決定する配送決定手順とを実行するようにした記録媒体。（５）
【発明の効果】
以上、説明してきたように、本願発明によれば、利用者は、雨の日に駅又はコンビニ等の外出先で雨傘をレンタルし、雨傘が不要になった場合に近くの回収専用ボックスにて返却することができるため、不要になった傘等が貯まってしまう、また、それらを廃棄する等の資源の無駄を無くすことができる。
【００６０】
【図面の簡単な説明】
【図１】雨傘レンタルシステムのネットワーク構成を示す図である。
【図２】雨傘レンタル本部システムのハードウェア構成を示す図である。
【図３】雨傘レンタル処理を説明するためのフローチャート図である。
【図４】雨傘レンタル処理を説明するためのフローチャート図である。
【図５】レンタル傘情報ＤＢで管理されるレンタル傘管理情報の例を示す図である。
【図６】店舗テーブルの例を示す図である。
【図７】回収ボックステーブルの例を示す図である。
【図８】リサイクルセンタテーブルの例を示す図である。
【図９】貸出日時及び返却時のＰＯＳ画面の例を示す図である。
【図１０】雨傘レンタルシステムで使用される傘の例を示す図である。
【符号の説明】
１１                    ＣＰＵ
１２                    メモリユニット
１３                    出力ユニット
１４                    入力ユニット
１５                    表示ユニット
１６                    補助記憶装置
１７                    ドライブユニット
２０          記録媒体
Ｂ            バス
１００        雨傘レンタル本部システム
２００        リサイクルセンタ
３００        店頭レジ
４００        回収専用ボックス
５００        各地配送センタ
【図１】
2004303061.tif 000003
【図２】
2004303061.tif 000004
【図３】
2004303061.tif 000005
【図４】
2004303061.tif 000006
【図５】
2004303061.tif 000007
【図６】
2004303061.tif 000008
【図７】
2004303061.tif 000009
【図８】
2004303061.tif 000010
【図９】
2004303061.tif 000011
【図１０】
2004303061.tif 000012